(57)【要約】【課題】温度変化に起因するタイヤの取り扱いについてユーザーに注意を効果的に促すことが可能な空気入りタイヤを提供する。【解決手段】タイヤ表面２ａに周辺温度の変化により警告情報４ａを表示可能な警告情報表示手段４が設けられている。警告情報表示手段４は、タイヤ表面２ａに直接設けるようにしてもよく、またラベル６に設け、そのラベル６をタイヤ表面２ａに貼着するようにしてもよい。【選択図】図１
2006123704.tif 000002
【特許請求の範囲】
【請求項１】
タイヤ表面に周辺温度の変化により警告情報を表示可能な警告情報表示手段を設けた空気入りタイヤ。
【請求項２】
警告情報表示手段をタイヤ表面に直接設けた請求項１に記載の空気入りタイヤ。
【請求項３】
警告情報表示手段をラベルに設け、該ラベルをタイヤ表面に貼着した請求項１に記載の空気入りタイヤ。
【請求項４】
ラベルをサイドウォール部の外側表面に貼着し、該ラベルの周囲の外側表面にラベルを保護する突起を有する請求項３に記載の空気入りタイヤ。
【請求項５】
サイドウォール部の外側表面にラベルを収容可能な凹部を有し、該凹部内にラベルを貼着した請求項３に記載の空気入りタイヤ。
【請求項６】
警告情報表示手段を周辺温度が所定温度になると警告情報を発色するように構成した請求項１乃至５のいずれか１項に記載の空気入りタイヤ。
【請求項７】
所定温度がタイヤ性能を発揮する推奨温度を外れた温度である請求項６に記載の空気入りタイヤ。
【請求項８】
所定温度が空気入りタイヤを構成するタイヤ構成部材のゴムコンパウンドの中で最も高い脆化温度より５℃〜１５℃高い温度である請求項６に記載の空気入りタイヤ。
【請求項９】
所定温度が６０℃〜７０℃である請求項６に記載の空気入りタイヤ。
【発明の詳細な説明】
【技術分野】
【０００１】
本発明は、空気入りタイヤに関し、更に詳しくは、温度変化に起因するタイヤの取り扱いについてユーザーに注意を効果的に促すことができる空気入りタイヤに関する。
【背景技術】
【０００２】
空気入りタイヤは、周知のように、タイヤ構成部材に種々のゴムコンパウンドを使用している。このようにゴムコンパウンドを使用する空気入りタイヤは、寒冷地では、ゴムコンパウンドの脆化温度に近いような外気温度で運搬されたり、リム組されたり、更に実車で使用されたりすると、タイヤ構成部材が脆性破壊を起こし、タイヤが損傷する。そこで、ユーザーズマニュアルなどに、タイヤの取り扱いに関する注意事項を明記し、注意を促すようにしてはいるが、十分な効果が得られていない。
【０００３】
他方、冬用タイヤにあっては、夏に保管する際に、温度が高温になるような場所に保管すると、タイヤ構成部材のゴムコンパウンドの硬化が促進して劣化を起こし、タイヤ性能を十分に発揮できなくなるという問題を生じる。
【０００４】
従来、タイヤがパンクしたり、空気が抜けたりした場合にユーザーに知らせるようにした技術の提案はなされている（例えば、特許文献１参照）が、上述したようなタイヤの取り扱いに関する問題点を解決する有効な技術の提案がなく、その解決策の提案が望まれていた。
【特許文献１】特開昭５３−１１４０７号公報
【発明の開示】
【発明が解決しようとする課題】
【０００５】
本発明の目的は、温度変化に起因するタイヤの取り扱いについてユーザーに注意を効果的に促すことが可能な空気入りタイヤを提供することにある。
【課題を解決するための手段】
【０００６】
上記目的を達成する本発明の空気入りタイヤは、タイヤ表面に周辺温度の変化により警告情報を表示可能な警告情報表示手段を設けたことを特徴とする。
【発明の効果】
【０００７】
上述した本発明によれば、周辺温度が変化した際に警告情報表示手段により警告情報が発色してユーザーにタイヤ自体が知らせることができる。そのため、温度変化に起因するタイヤの取り扱いについてユーザーに注意を効果的に促すことが可能になる。
【発明を実施するための最良の形態】
【０００８】
以下、本発明の実施の形態について添付の図面を参照しながら詳細に説明する。
【０００９】
図１は本発明の空気入りタイヤの一実施形態を示し、１はトレッド部、２はサイドウォール部、３はビード部である。サイドウォール部２の外側表面（タイヤ表面）２ａには、周辺温度の変化により警告情報４ａを表示可能な警告情報表示手段４が直接設けられている。この警告情報表示手段４は、周辺温度が所定温度になると警告情報４ａを発色するように構成されている。
【００１０】
このように周辺温度が所定温度になると発色させる手法としては、例えば、サーモトロピック液晶などを好ましく用いることができる。サーモトロピック液晶は、その分子配列の温度依存性が高く、温度変化に伴って分子配列が変化し、その変化によって反射等する可視光の波長が変化することにより変色したように見える性質を利用するものである。図示する例では、マイクロカプセル化したサーモトロピック液晶にバインダを添加してインクとし、このインクにより警告情報４ａをサイドウォール部２の外側表面２ａ印刷している。インクが周辺温度が所定温度になると発色し、ユーザーに注意を促す。
【００１１】
所定温度は、タイヤ構成部材に使用されるゴムコンパウンドの脆化温度に近いような外気温度の日があるような寒冷地で使用されるタイヤの場合には、タイヤ構成部材のゴムコンパウンドの中で最も高い脆化温度より５℃〜１５℃高い温度である。５°より低いと、最も高い脆化温度のタイヤ構成部材が衝撃により脆性破壊する。そのため、その前に警告する必要があり、下限値を５℃とする。１５℃より高い温度では、脆性破壊の心配がないので警告する必要がない。
【００１２】
夏用タイヤと冬用タイヤを交換して使用する地域で使用される冬用タイヤの場合には、夏に保管する際の劣化を警告するため、所定温度が６０℃〜７０℃に設定される。７０℃を超えると、ゴムの劣化が促進されるため、その前に警告する必要があり、上限値を７０℃とする。６０℃より低いと、ゴムの劣化の問題がないため警告する必要がない。
【００１３】
また、夏用タイヤと冬用タイヤを交換して使用するが、冬用タイヤを夏に保管しても上記のような高温にならない地域であれば、タイヤメーカー等によって推奨される、タイヤ性能を有効に発揮できる推奨温度を外れた温度とすることができる。例えば、夏用タイヤの推奨温度が７℃以上である場合には、その温度より低くなった際に夏用タイヤに設けた警告情報４ａが発色するようにする。
【００１４】
夏用タイヤと冬用タイヤを交換して使用する地域で使用される冬用タイヤは、好ましくは、２つの警告情報表示手段４を設け、一方を夏に保管する際の劣化を警告する温度で発色し、他方を推奨温度で発色するようにするのがよい。
【００１５】
また、スポーツ走行等を目的としたタイヤにも、タイヤ性能を有効に発揮できる推奨温度があるため、その温度を外れた場合には警告情報表示手段４を発色させるようにするのがよい。
【００１６】
警告情報４ａとしては、文字であっても記号であってもよく、ユーザーに警告情報となるものであれば、特に限定されない。例えば、文字を使用する場合には、寒冷地用のタイヤでは「衝撃を与えないで下さい」といった表示を発色させることができる。また、夏に保管する冬用タイヤでは「低温保管して下さい」という表示を発色させることができる。
【００１７】
図２は、本発明の空気入りタイヤの他の実施形態を示し、トレッド部１のトレッド面（タイヤ表面）１ａに上記警告情報表示手段４を直接設けたものである。このように走行時に摩耗するトレッド面１ａに設けるタイヤとしては、寒冷地で運搬されたり、リム組されたりするタイヤの場合に好ましく採用することができる。
【００１８】
図３，４は、本発明の空気入りタイヤの更に他の実施形態を示す。これらの実施形態では、上記警告情報表示手段４をラベル上に形成し、それをタイヤ表面に貼着するようにしたものである。
【００１９】
図３の空気入りタイヤでは、出荷時にトレッド面１ａに貼着される、タイヤ情報を記載したタイヤラベル５の表面５ａ上に警告情報表示手段４が形成されている。図４の空気入りタイヤは、専用のラベル６の表面６ａ上に警告情報表示手段４が設けられ、そのラベル６をサイドウォール部２の外側表面２ａに貼着したものである。
【００２０】
図４のようにサイドウォール部２の外側表面２ａに警告情報表示手段４を設けたラベル６を貼着する場合、好ましくは、図５に示すように、貼着したラベル６の周囲の外側表面２ａにラベル６を保護する突起７を設けるのがよく、この突起７により車両走行時に縁石等に接触してラベル６が脱落するのを防止することができる。
【００２１】
図５では、ラベル６の両側（タイヤ回転方向Ｒ側とその反対方向側）に保護用の突起７をそれぞれ設けるようにしたが、タイヤ回転方向Ｒ側の一方にのみ設けるようにしてもよく、またラベル６を取り囲むように全周にわたって設けてもよい。また、突起７に代えて、図６に示すように、サイドウォール部２の外側表面２ａにラベル６を収容可能な凹部８を形成し、その凹部８内にラベル６を貼着するようにしてもよい。
【００２２】
上述した本発明によれば、周辺温度が変化した際に警告情報表示手段４により警告情報４ａを発色させてユーザーにタイヤ自体が知らせることができるので、温度変化に起因するタイヤの取り扱いについてユーザーに注意を効果的に促すことができる。
【００２３】
本発明は、上記実施形態では、それぞれタイヤ表面に１つの警告情報表示手段４を設けた例を示したが、必要に応じて複数設けるようにしてもよい。その際、図１〜４に示すように設けた警告情報表示手段４を適宜組み合わせるようにしてもよい。
【図面の簡単な説明】
【００２４】
【図１】本発明の空気入りタイヤの一実施形態を示す斜視図である。
【図２】本発明の空気入りタイヤの他の実施形態を示す斜視図である。
【図３】本発明の空気入りタイヤの更に他の実施形態を示す斜視図である。
【図４】本発明の空気入りタイヤの更に他の実施形態を示す斜視図である。
【図５】警告情報表示手段を設けたラベルをサイドウォール部のタイヤ表面に貼着する好ましい例を示す拡大図である。
【図６】警告情報表示手段を設けたラベルをサイドウォール部のタイヤ表面に貼着する好ましい他の例を示す拡大断面図である。
【符号の説明】
【００２５】
１  トレッド部
１ａ  トレッド面（タイヤ表面）
２  サイドウォール部
２ａ  外側表面（タイヤ表面）
４  警告情報表示手段
４ａ  警告情報
５  タイヤラベル
６  ラベル
７  突起
８  凹部
【図１】
2006123704.tif 000003
【図２】
2006123704.tif 000004
【図３】
2006123704.tif 000005
【図４】
2006123704.tif 000006
【図５】
2006123704.tif 000007
【図６】
2006123704.tif 000008